(57)【要約】【課題】ケース表面温度の高温化を防止できる排気ガス浄化装置を提供すること。【解決手段】複数のケース２〜５から構成されるケース本体１Ａを備えた排気ガス浄化装置１であって、ケース本体１Ａは、排気ガス流れ方向の上流から下流にかけて略全域にわたって断熱リング９および断熱材１５，１９で覆われている構成とし、断熱材１５，１９は、ケース２〜５の接合部分よりも内方側に配置し、断熱リング９は、ケース２〜５同士の接合部分を跨ぐように配置している構成としたことにより、ケース本体１Ａの表面温度の高温化を確実に防止できる。【選択図】図２
2010043545.tif 000002
【特許請求の範囲】
【請求項１】
複数のケースから構成されるケース本体を備えた排気ガス浄化装置であって、
前記ケース本体は、排気ガス流れ方向の上流から下流にかけて略全域にわたって断熱手段で覆われている
ことを特徴とする排気ガス浄化装置。
【請求項２】
請求項１に記載の排気ガス浄化装置において、
前記断熱手段は、複数の前記ケース内にあって、当該ケース同士の接合部分よりも内方側に配置された第１断熱手段と、
前記ケース同士の接合部分を跨ぐように配置された第２断熱手段とを備えている
ことを特徴とする排気ガス浄化装置。
【請求項３】
請求項２に記載の排気ガス浄化装置において、
前記第２断熱手段は、前記ケースの内側に設けられた内周リング部材と、
前記内周リング部材および前記ケースの内面間に設けられる断熱材とを備えている
ことを特徴とする排気ガス浄化装置。
【請求項４】
請求項３に記載の排気ガス浄化装置において、
前記第２断熱手段は、前記ケースの内面および前記断熱材間に設けられる外周リング部材を備えている
ことを特徴とする排気ガス浄化装置。
【請求項５】
請求項４に記載の排気ガス浄化装置において、
前記内周リング部材と前記外周リング部材とは、互いに離間している
ことを特徴とする排気ガス浄化装置。
【請求項６】
請求項４または請求項５に記載の排気ガス浄化装置において、
前記外周リング部材は、外フランジを有する断面凹状に形成されている
ことを特徴とする排気ガス浄化装置。
【請求項７】
複数のケースから構成されるケース本体を備えた排気ガス浄化装置であって、
前記ケース本体は、排気ガス流れ方向の上流から下流にかけて略全域にわたって断熱手段で覆われ、
前記断熱手段は、
複数の前記ケース内にあって、当該ケース同士の接合部分よりも内方側に配置された第１断熱手段と、
前記ケース同士の接合部分を跨ぐように配置された第２断熱手段とを備え、
前記複数のケースのうち、排気ガス流れ方向の上流端に配置されたケースには、当該ケースの径方向から排気ガスが流入する流入部が設けられ、排気ガス流れ方向の下流端に配置されたケースには、当該ケースの径方向に排気ガスが流出する流出部が設けられ、
前記流入部および流出部が設けられたケースは、内壁プレートおよび外壁プレートを有する二重壁構造とされ、
前記内壁プレートおよび外壁プレートとの間には、前記第１断熱手段が介装されている
ことを特徴とする排気ガス浄化装置。
【発明の詳細な説明】
【技術分野】
【０００１】
本発明は、排気ガス浄化装置に関する。
【背景技術】
【０００２】
従来、エンジンの排気管途中に排気ガス浄化装置を設けることで、黒煙のもととなる排気ガス中のパーティキュレート・マター（ＰＭ（Particulate Matter）：粒子状物質）を捕集し、ＰＭが大気中に排出されるのを防止することが知られている。この排気ガス浄化装置としては、ＰＭ捕集用のスーツフィルタおよびドージング燃料（例えば、軽油）を酸化、発熱させるための酸化触媒を、それぞれ筒状のケースで覆った構造が一般的である（特許文献１）。
【０００３】
【特許文献１】特開２００４−２６３５９３号公報
【発明の開示】
【発明が解決しようとする課題】
【０００４】
ところで、特許文献１において、酸化触媒が設けられたケースとスーツフィルタが設けられたケースとを、互いに接合して排気ガス浄化装置を組み立てた際には、酸化触媒とスーツフィルタとの間に空間が形成される。
しかしながら、この空間を形成する部分の内面には高温の排気ガスが直接触れることとなるため、排気ガスによる熱が内面側からケース表面に伝達され、ケース表面温度が高温になるという問題がある。
【０００５】
本発明の目的は、ケース表面温度の高温化を防止できる排気ガス浄化装置を提供することにある。
【課題を解決するための手段】
【０００６】
本発明の請求項１に係る排気ガス浄化装置は、複数のケースから構成されるケース本体を備えた排気ガス浄化装置であって、前記ケース本体は、排気ガス流れ方向の上流から下流にかけて略全域にわたって断熱手段で覆われていることを特徴とする。
ここでの「略全域」には、ケース本体の組立上、わずかな隙間が生じている場合、このような隙間は断熱性能にほとんど影響がないため、「略全域」に含まれる。
【０００７】
本発明の請求項２に係る排気ガス浄化装置は、請求項１に記載の排気ガス浄化装置において、前記断熱手段は、複数の前記ケース内にあって、当該ケース同士の接合部分よりも内方側に配置された第１断熱手段と、前記ケース同士の接合部分を跨ぐように配置された第２断熱手段とを備えていることを特徴とする。
ここで、「内方側に配置」とは、第１断熱手段がケースの開口部分から突出しないようにケース内部に収容されることを意味する。
【０００８】
本発明の請求項３に係る排気ガス浄化装置は、請求項２に記載の排気ガス浄化装置において、前記第２断熱手段は、前記ケースの内側に設けられた内周リング部材と、前記内周リング部材および前記ケースの内面間に設けられる断熱材とを備えていることを特徴とする。
【０００９】
本発明の請求項４に係る排気ガス浄化装置は、請求項３に記載の排気ガス浄化装置において、前記第２断熱手段は、前記ケースの内面および前記断熱材間に設けられる外周リング部材を備えていることを特徴とする。
【００１０】
本発明の請求項５に係る排気ガス浄化装置は、請求項４に記載の排気ガス浄化装置において、前記内周リング部材と前記外周リング部材とは、互いに離間していることを特徴とする。
ここで、「離間している」とは、排気ガスの流れ方向に対して直交する方向に離間していることをいう。
【００１１】
本発明の請求項６に係る排気ガス浄化装置は、請求項４または請求項５に記載の排気ガス浄化装置において、前記外周リング部材は、外フランジを有する断面凹状に形成されていることを特徴とする。
【００１２】
本発明の請求項７に係る排気ガス浄化装置は、複数のケースから構成されるケース本体を備えた排気ガス浄化装置であって、前記ケース本体は、排気ガス流れ方向の上流から下流にかけて略全域にわたって断熱手段で覆われ、前記断熱手段は、複数の前記ケース内にあって、当該ケース同士の接合部分よりも内方側に配置された第１断熱手段と、前記ケース同士の接合部分を跨ぐように配置された第２断熱手段とを備え、前記複数のケースのうち、排気ガス流れ方向の上流端に配置されたケースには、当該ケースの径方向から排気ガスが流入する流入部が設けられ、排気ガス流れ方向の下流端に配置されたケースには、当該ケースの径方向に排気ガスが流出する流出部が設けられ、前記流入部および流出部が設けられたケースは、内壁プレートおよび外壁プレートを有する二重壁構造とされ、前記内壁プレートおよび外壁プレートとの間には、前記第１断熱手段が介装されていることを特徴とする。
【発明の効果】
【００１３】
以上において、請求項１の発明によれば、ケース本体の上流側から下流側の略全域に断熱手段が連続して形成されたことで、排気ガス浄化装置のケース本体の表面温度の高温化を確実に防止できる。
【００１４】
請求項２の発明によれば、ケース同士の接合部分を跨ぐように第２断熱手段が配置されたことで、互いに接合されるケースのうち、一方のケースの端部に予め第２断熱手段を取り付けておけば、他方のケースを当該第２断熱手段にガイドさせながら印籠接続でき、組立性を向上させることができる。
【００１５】
請求項３の発明によれば、第２断熱手段の内面に内周リング部材を備えたことで、第２断熱手段を通過する排気ガスが、ケース内面と内周リング部材との間に配置される断熱材に触れ難くなり、断熱材の劣化や耐久性を向上させることができる。
【００１６】
請求項４の発明によれば、ケース内面と断熱材との間に外周リング部材を備えたことで、ケース同士が印籠接続される場合には、一方のケースの内面と、他方のケースの外周リングの外表面とを接触させることができ、断熱材のかみ込み等を良好に防止できる。
【００１７】
請求項５の発明によれば、内周リング部材と外周リング部材とは互いに離間しているため、お互いが接触しておらず、内周リング部材の熱が外周リング部材へ伝達されるのを防止できる。
【００１８】
請求項６の発明によれば、内周リング部材が外フランジを有して断面凹状に形成されているため、内周リング部材の外フランジにより、断熱材の外部へのはみ出しを防止できる。さらに、第２断熱手段を通過する排気ガスが、断熱材により触れ難くなるため、断熱材の劣化や耐久性をより向上させることができる。
【００１９】
請求項７の発明によれば、ケース本体は、排気ガス流れ方向の上流から下流にかけて略全域にわたって断熱手段で覆われ、ケース本体の両端面側に設けられた内壁プレートと外壁プレートとの間には、第１断熱手段が介装されているので、ケース本体の全面を断熱手段で覆うことができ、ケース本体の両端側に位置する各ケースの径方向に設けられた流入部および流出部に、高温の排気ガスが通過した場合でも、ケース本体の表面温度の高温化を確実に防止できる。
また、流入部および流出部は、ケースに対して排気ガスを径方向に流入出させるように設けられているため、排気管等の取り回しをコンパクトにでき、配置スペースを小さくできる。
【発明を実施するための最良の形態】
【００２０】
以下、本発明の実施形態を図面に基づいて説明する。なお、後述する第２実施形態以降で、以下に説明する第１実施形態での構成と同じか、または同様な機能を有する構成には同一符号を付し、その説明を簡単にあるいは省略する。
【００２１】
[第１実施形態]
以下、本発明の第１実施形態を図面に基づいて説明する。
なお、以下では、説明の便宜上、排気ガスの流れ方向の上流側を「上流側」、排気ガス流れ方向の下流側を「下流側」とする。
図１は、本実施形態での排気ガス浄化装置１を示す全体斜視図であり、図２は、図１でのＡ−Ａ矢視図である。図１において、排気ガス浄化装置１は、図示しないディーゼルエンジン（以下、単にエンジンと称する）の排気管途中に設けられて、排気ガス中に含まれるＰＭを捕集するものであり、ケース本体１Ａを備えている。このケース本体１Ａは、エンジンの排気管と接続される円筒状のケース２と、ケース２の下流側の配置された円筒状のケース３と、ケース３のさらに下流側に配置された円筒状のケース４と、最下流に配置されて図示しない出口管が接続されるケース５とを備えている。
【００２２】
ケース２，５は、ケース本体１Ａの両端側に位置し、円筒状の外周部に側壁８を有した構造であり、内部がそれぞれ入口室１１および出口室１２となっている。上流端に配置されたケース２には、ケース２の径方向から排気ガスが流入する流入部２１が設けられ、下流端に配置されたケース５には、ケース５の径方向から排気ガスが流出する流出部２２が設けられている。また、ケース１Ａの両端面側において、ケース２，５では、側壁８部分が内壁プレート１３および外壁プレート１４を有する二重壁構造とされ、内壁プレート１３と外壁プレート１４との間には、ガラス繊維からなる第１断熱手段としての断熱材１５が介装されている。同様に、円筒状部分も内筒材１６および外筒材１７を有する二重壁構造とされ、内筒材１６と外筒材１７との間にも断熱材１５が介装されている。これにより、入口室１１および出口室１２内を排気ガスが通過しても、排気ガスによる熱が断熱材１５によって遮断され、ケース２，５の外表面に伝わり難くなっている。ケース２，５の開口側の端縁には、内筒材１６の露出部分に一体成形されたフランジ継手６が形成されている。  
【００２３】
一方、円筒状のケース３内には、ドージング燃料を酸化、発熱させる酸化触媒３１が配置され、この酸化触媒３１の両側には、リング状でステンレス製のワイヤーメッシュ８１およびストッパ８２とが設けられている。ストッパ８２は、酸化触媒３１がケース３の端部からはみ出ることがないように、ワイヤーメッシュ８１を介して酸化触媒３１を押圧している。
【００２４】
同じく円筒状とされたケース４内には、排気ガス中のＰＭを捕集するスーツフィルタ４１が収容され、スーツフィルタ４１の両側には、リング状でステンレス製のワイヤーメッシュ８１およびストッパ８２が設けられている。
【００２５】
これらのケース３，４自身は、一重壁構造である。ただし、内部に収容された酸化触媒３１とケース３の内面との間、およびスーツフィルタ４１とケース４の内面との間には、第１断熱手段としてのセラミック繊維製の断熱材１９がそれぞれ介装されている。このことにより、酸化触媒３１、およびスーツフィルタ４１を通過する排気ガスの熱も、ケース３，４の外表面に伝わり難くなっている。このようなケース３，４においても、両側の開口部分の端縁には、フランジ継手６が一体に形成されている。
【００２６】
以上に説明したケース２〜５は、互いに対向し合うフランジ継手６同士がシール材６５を介して当接され、フランジ継手６を貫通するボルト６１およびこれに螺合するナット６２によって接合されている。なお、シール材６５は、耐熱性の高い膨張黒鉛製であり、排気ガス浄化装置１内を通過する排気ガスが大気に漏れ出さないために配置されるものである。ケース２〜５が接合された状態では、図２、図３に示すように、各ケース２〜５の内部を跨ぐようにして第２断熱手段としての断熱リング９が収容されている。具体的に、ケース２とケース３との間には、酸化触媒３１の入口側に近接するようにケース２のフランジ継手６より突出して断熱リング９Ａが配置され、ケース３とケース４との間には、酸化触媒３１の出口側およびスーツフィルタ４１の入口側に近接するようにケース４のフランジ継手６より突出して断熱リング９Ｂが配置され、ケース４とケース５との間には、スーツフィルタ４１の出口側に近接するようにケース５のフランジ継手６より突出して断熱リング９Ｃが配置されている。
【００２７】
これらの断熱リング９（９Ａ，９Ｂ，９Ｃ）は、排気ガスの流れ方向での長さの違いはあるが、全体構造としては同様である。すなわち、図３に拡大して示すように（図では、代表して断熱リング９Ｂが示されている）断熱リング９は、各ケース２〜５の内面に当接するステンレス製の外周リング部材９１と、一対の外フランジ９３を有する断面凹状に形成されたステンレス製の内周リング部材９２と、外周リング部材９１および内周リング部材９２の間に介装されたセラミックス繊維製の断熱材９４とで構成される。断熱材９４も円筒状に形成されており、その内径寸法は、内周リング部材９２の筒状部分の外径寸法と略同じである。
【００２８】
このような断熱リング９では、所定の厚みを有した断熱材９４が内周リング部材９２の筒状部分の外周側に嵌め込まれており、この状態の内周リング部材９２が外周リング部材９１内に収容される。そうすると、断熱材９４は、内周リング部材９２によって外周リング部材９１側に押圧されることにより、圧縮された状態で各部材９１，９２間に介装される。そして、この際の反力により、外周リング部材９１に対する内周リング部材９２の位置ずれが防止され、断熱リング９を予め組み立てておくことができ、取扱いを容易にできる。また、断熱材９４の両側に外フランジ９３が位置することで、断熱材９４のずれを防止できる。
【００２９】
さらに、断熱リング９は、各部材９１，９２，９４が一体に組み立てられた状態で、各ケース２〜５内に収容される。この際、外周リング部材９１が各ケース２〜５の内周面に溶接される。この溶接箇所の詳細については後述する。また、断熱リング９として組み上がった状態では、内周リング部材９２と外周リング部材９１とは接触していない。つまり、断熱材９４の厚さ、および内周リング部材９２での外フランジ９３の高さは、断熱材９４の圧縮量を見込んだ上で、内周リング部材９２と外周リング部材９１とが接触しないように設定されている。このため、断熱リング９を通過する排気ガスは、内周リング部材９２に直接触れることになるが、この時の熱が内周リング部材９２から外周リング部材９１へ伝達され難くなっており、断熱材９４によって良好に遮断される。
【００３０】
このような断熱リング９において、断熱リング９Ａは、上流側において、ケース２の断熱材１５と径方向に重なっており、さらに下流側において、ケース３の断熱材１９とワイヤーメッシュ８１、ストッパ８２とを介して近接している。断熱リング９Ｂは、上流側において、ケース３の断熱材１９とワイヤーメッシュ８１、ストッパ８２とを介して近接し、さらに下流側において、ケース４の断熱材１９とワイヤーメッシュ８１、ストッパ８２とを介して近接している。断熱リング９Ｃは、上流側においてケース４の断熱材１９とワイヤーメッシュ８１、ストッパ８２とを介して近接し、さらに下流側において、ケース２の断熱材１５と径方向に重なっている。なお、ここでの「近接」には、断熱リング９が断熱材１９と接触している場合の他、また接触していない場合も含まれる。
【００３１】
これにより、排気ガス浄化装置１のケース本体１Ａは、上流側から下流側まで略全域が断熱材１５，１９，９４で略覆われることとなり、２重壁構造でないケース３，４についても、断熱リング９を用いることで実質的に断熱性に優れた２重壁構造を実現でき、各ケース２〜５の外表面が全て高温となり難くなっている。
【００３２】
ところで、これら断熱リング９のうち断熱リング９Ａは、ケース２側の内筒材１６とのかかり代の方がケース３とのかかり代よりも大きく、予め内筒材１６内に収容される。断熱リング９Ｂは、ケース３とのかかり代よりもケース４のかかり代の方が大きく、予めケース４内に収容される。断熱リング９Ｃは、ケース４のかかり代よりもケース５のかかり代の方が大きく、予めケース５内に収容される。断熱リング９と各ケース２〜５とのかかり代が大きい方において、断熱リング９の外周リング部材９１は、各ケース２〜５と溶接されている。より具体的には、断熱リング９Ａの外周リング部材９１は、ケース２の外周面に形成された４つの溶接孔（図示略）に溶接され、断熱リング９Ｂの外周リング部材９１は、ケース４の溶接孔に溶接される。また、断熱リング９Ｃの外周リング部材９１は、ケース５の溶接孔に溶接される。
【００３３】
従って、各ケース２〜５を互いに連結してケース本体１Ａを組み立てるにあたっては、ケース２の開口部分から断熱リング９Ａの一部が突出していることになり、この突出した断熱リング９Ａの外周とケース３の入口側とを嵌合させる。つまり、ケース２の出口側およびケース３の入口側は、断熱リング９Ａにガイドされながら、互いに印籠接続される。
【００３４】
同様に、図４に示すように、ケース４の入口側の開口部分から断熱リング９Ｂの一部が突出していることになり、この突出した断熱リング９Ｂの外周とケース３の出口側とを嵌合させることで、ケース３，４を接続する。つまり、ケース３の出口側およびケース４の入口側も、断熱リング９Ｂにガイドされながら、互いに印籠接続される。
【００３５】
さらには、ケース５の入口側の開口部分から断熱リング９Ｃの一部が突出していることになり、この突出した断熱リング９Ｃの外周とケース４の出口側とを嵌め込むことで、ケース５とケース４とが互いに印籠接続される。
【００３６】
すなわち、このような印籠接続では、ケース本体１Ａの両側部分を構成するケース２，５からは、互いに対向するように断熱リング９Ａ，９Ｃの一部が予め突出して設けられ、酸化触媒３１が収容されているケース３には、断熱リング９は設けられず、スーツフィルタ４１が収容されているケース４には、上流側にのみ予め断熱リング９Ｂが突出して設けられる。このため、ケース２〜５の配置順さえ違わなければ、スーツフィルタ４１が収容されたケース４を、スーツフィルタ４１の入口側と出口側とが反転された状態で接合してしまうのを防止でき、ケース４の接合方向を常に一定にできる。
【００３７】
また、ケース本体１Ａのケース２，５には、入口室１１および出口室１２内の温度を計測する図示しない温度センサ取付用のセンサボス１０１が設けられている。このセンサボス１０１は、内筒材１６に対して取り付けられており、外筒材１７には、センサボス１０１に対応した位置に開口部１８が形成されている。また、ケース５には、センサボス１０１の近傍に別のセンサボス１０２が同様に設けられている。このセンサボス１０２には、排気ガスが流入する鋼管等の硬質の管部材７１が取り付けられる。
【００３８】
さらに、ケース４の排気ガス入口側寄りの外表面には、肉厚を有する円盤状のセンサボス１０３，１０４が設けられている。一方のセンサボス１０３には、スーツフィルタ４１入口側での排気ガス温度を計測する図示しない温度センサが取り付けられ、他方のセンサボス１０４には、スーツフィルタ４１入口側からの排気ガスが流入する鋼管等の硬質の管部材７２が取り付けられる。この管部材７２と前述した管部材７１とは、差圧センサ７に接続されている。本実施形態では、差圧センサ７は、ケース４の排気ガス出口側寄りに位置し、ケース４の出口側のフランジ継手６にブラケット６３を介して、ボルト６１およびナット６２により取り付けられている。  
【００３９】
差圧センサ７は、スーツフィルタ４１の入口側と出口側とでの圧力差を検出するものである。差圧センサ７の内部には、歪みゲージが取り付けられたダイヤフラムが設けられ、管部材７１，７２に入る排気ガスによってダイヤフラムが変位し、この変位に応じて歪みゲージでの電気抵抗が変化し、この電気抵抗から差圧を検出できる。ケース４内では、スーツフィルタ４１によって排気ガスの圧力損失が生じており、スーツフィルタ４１の入口側での圧力（センサボス１０４側での圧力）は、スーツフィルタ４１の出口側での圧力（センサボス１０２側での圧力）より大きくなっている。そして、スーツフィルタ４１にＰＭが詰まり始めると圧力損失、すなわちスーツフィルタ４１の入口側と出口側とでの差圧がさらに大きくなり、この差圧に基づいてスーツフィルタ４１の目詰まり状態を判断することが可能である。
【００４０】
このような差圧センサ７および管部材７１，７２は、全体としてケース４およびケース５の互いの接合部分を跨いで配置されている。管部材７２の配管寸法は、管部材７１の配管寸法よりも長い。従って、管部材７１，７２の配管寸法が異なる本実施形態では、管部材７１が取り付けられるケース５に対して、管部材７２が取り付けられるケース４の接合方向が一定となる。
【００４１】
つまり、ケース４を上流と下流とが逆になるようにケース５に接合してしまうと、センサボス１０２，１０４同士が近接してしまうため、硬質の管部材７１，７２を接続することができず、差圧センサ７を取り付けることができないのである。このことからも、前述の印籠接合による効果と同様、スーツフィルタ４１が収容されたケース４を常に一定の方向で接合でき、ケース４の上流と下流とを逆にして取り付けることを防止できる。
【００４２】
本発明の排気ガス浄化装置１としては、エンジンが収容されているエンジンルーム内において、エンジンルームを形成しているフレームやボンネット等に取り付けられてもよく、エンジン自体の上部側等に取り付けられてもよく、取付位置などはその実施にあたって適宜に決められてもよい。  
【００４３】
以上、本実施形態によれば、排気ガス浄化装置１のケース本体１Ａが断熱材１５，１９，９４で覆われているため、排気ガス浄化装置１の内部を通過する排気ガスによって、ケース本体１Ａの表面温度の高温化を確実に防止できる。
【００４４】
[第２実施形態]
図５は、第２実施形態での断熱リング９を示す図である。なお、図５には、ケース３，４の接合部分を代表して示してあり、他の接合部でも同様な断熱リング９が用いられる。また、後述する第３〜第６実施形態でも同じである。
本実施形態での断熱リング９は、断面凹状に形成されたステンレス製の内周リング部材９２と、この内周リング部材９２に収容されるセラミックス繊維製の断熱材９４とで構成されている。つまり、内周リング部材９２では、第１実施形態での外周リング部材９１が設けられていない。
【００４５】
この断熱材９４も所定の厚みを有しており、内周リング部材９２によってケース２〜５の内面に対して押圧されることにより、圧縮された状態でケース４の内面と内周リング部材９２との間に収容されている。このことで、断熱材９４の圧力を受ける内周リング部材９２は、ケース４に対して位置ずれすることなく、断熱材９４と共に予めケース４に取り付けておくことが可能である。また、第１実施形態と同様、内周リング部材９２とケース２〜５の内面とは接触していない。このため、内周リング部材９２の熱はケース２〜５に伝達されないようになっている。
【００４６】
本実施形態においても前記第１実施形態と同様に、排気ガス浄化装置１の全体にわたって、断熱材１５，１９，９４が連続して配置されるため、排気ガス浄化装置１全体の表面温度の高温化を確実に防止できる。
【００４７】
[第３実施形態]
図６は、第３実施形態での断熱リング９を示す図である。
断熱リング９は、ステンレス製の内周リング部材９５と、この内周リング部材９５とケース３，４の内面との間に介装された断熱材９４とで構成される。ただし、内周リング部材９５は、断面凹状ではなく、外フランジ９３（図３）を省略した円筒状である。他の構成は、第２実施形態と同様である。
本実施形態においても、排気ガス浄化装置１全体の表面温度の高温化を確実に防止できる。
【００４８】
[第４実施形態]
図７は、第４実施形態での断熱リング９を示す図である。
本実施形態での断熱リング９は、第１実施形態で説明した円筒状の外周リング部材９１と第３実施形態で説明した円筒状の内周リング部材９５とを用いて構成されている。
このような、本実施形態においても、排気ガス浄化装置１全体の表面温度の高温化防止に関し、前記第１実施形態と同様の効果を奏する。
【００４９】
[第５実施形態]
図８は、第５実施形態での断熱リング９を示す図である。
本実施形態での断熱リング９では、外周リング部材９１と接触する内周リング部材９７が用いられ、これによって断熱材９４が外周リング部材９１と内周リング部材９７とで完全に封止されている点が第１実施形態と異なる。
本実施形態においては、断熱材９４が完全に封止されているため、断熱材９４に排気ガスが触れる心配がなく、断熱材９４の劣化を抑制でき、耐久性を向上させることができる。
【００５０】
[第６実施形態]
図９は、第６実施形態を示す図である。
本実施形態では、各ケース２〜５は、フランジ継手６の間にシール材６５を介装したうえで、フランジ継手６同士をＶクランプ６４で締め付けることにより接合される。これによっても、前記各実施形態と同様に各ケース２〜５を良好に接合することができる。
【００５１】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００５２】
例えば、前記各実施形態では、ケース２とケース３とを別体にしたが、一体に成形されていてもよい。
また、前記各実施形態の排気ガス浄化装置１には、酸化触媒３１が設けられたが、スーツフィルタ４１の再生方法の違いによっては省略してもよい。
【００５３】
前記各実施形態での断熱材９４はセラミックス繊維製であったが、ガラス繊維製の断熱材であってもよく、材質は任意である。
【産業上の利用可能性】
【００５４】
本発明は、建設機械、土木機械、農業機械、発電装置、輸送車両等に搭載される内燃機関の排気ガス浄化装置として好適に利用できる。
【図面の簡単な説明】
【００５５】
【図１】本発明の第１実施形態に係る排気ガス浄化装置の全体斜視図。
【図２】図１でのＡ−Ａ矢視図。
【図３】前記第１実施形態での要部を示す断面図。
【図４】前記排気ガス浄化装置の一部のケースを示す断面図。
【図５】本発明の第２実施形態に係る前記排気ガス浄化装置の要部を示す断面図。
【図６】第３実施形態での要部を示す断面図。
【図７】第４実施形態での要部を示す断面図。
【図８】第５実施形態での要部を示す断面図。
【図９】第６実施形態での要部を示す断面図。
【符号の説明】
【００５６】
１…排気ガス浄化装置、１Ａ…ケース本体、２〜５…ケース、９…断熱リング、１３…内壁プレート、１４…外壁プレート、１５，１９…断熱材、２１…流入部、２２…流出部、９１…外周リング部材、９２，９５，９７…内周リング部材、９３…外フランジ、９４…断熱材。
【図１】
2010043545.tif 000003
【図２】
2010043545.tif 000004
【図３】
2010043545.tif 000005
【図４】
2010043545.tif 000006
【図５】
2010043545.tif 000007
【図６】
2010043545.tif 000008
【図７】
2010043545.tif 000009
【図８】
2010043545.tif 000010
【図９】
2010043545.tif 000011